(57)【要約】【課題】ドレス工具の旋回中心に対する位置調整の作業時間を短縮できるドレス工具の位置調整構造を提供すること。【解決手段】回転軸ＣＬを中心として回転可能な主回転軸部材３０と、該主回転軸部材の前記回転軸方向の一端面３０ａに取付けられ、前記主回転軸部材とともに回転する保持部材４９と、該保持部材に回転可能に保持されたドレス工具２０と、前記保持部材に設けられ、前記回転軸と前記ドレス工具との間の距離を調整可能な位置調整手段５９と、を備えたロータリドレッサ１０。ロータリドレッサ１０は、前記主回転軸部材に着脱可能に取付けられる位置調整用治具６０を備え、該位置調整用治具は、取付け状態で、前記回転軸から所定の距離ｄｓの位置に、前記ドレス工具が当接する当接部を備え、該当接部は、前記位置調整手段による前記ドレス工具の移動経路上に位置する。【選択図】図２
2020066095.tif 000002
【特許請求の範囲】
【請求項１】
回転軸を中心として回転可能な主回転軸部材と、
該主回転軸部材の前記回転軸方向の一端面に取付けられ、前記主回転軸部材とともに回転する保持部材と、
該保持部材に回転可能に保持されたドレス工具と、
前記保持部材に設けられ、前記回転軸に対して前記ドレス工具を移動させて前記回転軸と前記ドレス工具との間の距離を調整可能な位置調整手段と、を備えたロータリドレッサにおいて、
前記主回転軸部材に着脱可能に取付けられる位置調整用治具を備え、
該位置調整用治具は、取付け状態で、前記回転軸から所定の距離の位置に、前記ドレス工具が当接する当接部を備え、
該当接部は、前記位置調整手段による前記ドレス工具の移動経路上に位置することを特徴とするロータリドレッサ。
【請求項２】
前記主回転軸部材は、前記一端面の前記回転軸上に凹部を有し、
前記保持部材は、前記主回転軸部材に対する取付部において前記凹部と対応する位置に貫通孔を有し、
前記位置調整用治具は、前記貫通孔及び前記凹部に挿入されて取付けられる位置決め部を有することを特徴とする請求項１に記載のロータリドレッサ。
【請求項３】
前記位置調整用治具は、前記位置決め部に着脱可能に取付けられ、取付け状態で、前記位置決め部から前記ドレス工具の移動経路上に向かって伸びる棒状部を有し、
前記当接部は、前記棒状部の外周面に形成されていることを特徴とする請求項２に記載のロータリドレッサ。
【請求項４】
前記位置調整手段は、前記保持部材の前記貫通孔に回転可能に嵌装される偏心カラーと、該偏心カラーの回転位置を固定する固定部材とを備え、前記位置調整用治具の前記位置決め部を前記偏心カラーの中空部に挿入した状態で前記偏心カラーを回転させることにより、前記回転軸と前記ドレス工具との間の距離を変更することを特徴とする請求項２又は３に記載のロータリドレッサ。
【請求項５】
前記保持部材は、前記主回転軸部材に取付けられ、前記回転軸と直交する方向に伸びるアリ溝を有する旋回アームと、前記アリ溝内を摺動可能なアリを有するとともに、前記ドレス工具を回転可能に保持する工具ホルダとを備え、
前記位置調整手段は、前記アリ溝、前記アリ、及び前記アリ溝内の前記アリの位置を固定する固定用螺子により構成される第１の移動調整手段と、前記偏心カラー及び前記固定部材により構成される第２の移動調整手段とを含むことを特徴とする請求項４に記載のロータリドレッサ。
【発明の詳細な説明】
【技術分野】
【０００１】
本発明は、研削用砥石をドレスするドレス工具が装着されたロータリドレッサに関する。
【背景技術】
【０００２】
従来、ワークを研削する研削用砥石の表面形状を整えるために、研削用砥石の表面をドレスするロータリドレッサが使用されている。ロータリドレッサは、例えば、円弧状の表面を有する研削用砥石（一例として、ワークであるボールベアリングの外輪の丸溝を研削する研削用砥石）の表面形状を整えるために用いられ、研削用砥石の表面と接触して、この表面を所定の円弧状にドレスするドレス工具を備えている。
【０００３】
ロータリドレッサとしては、特許文献１に記載された総型ドレッサや、特許文献２に記載された旋回型ドレッサが知られている。
【０００４】
総型ドレッサは、研削用砥石が固定される砥石軸と、この砥石軸と平行なドレス工具軸とを備えている。ドレス加工は、砥石軸に固定された研削用砥石の外周面にドレス工具軸に固定されたドレス工具の外周面を対向させ、研削用砥石とドレス工具とをそれぞれ軸まわりに回転させながら、ドレス工具を研削用砥石に押付けることで行われる。これにより、研削用砥石の外周面は、ドレス工具の外周面に対応した形状に整えられる。
【０００５】
図１２に示すように、旋回型ドレッサ１００は、上下方向に伸びる円柱状であって中心軸ＣＬまわりに往復回転可能な主回転軸部材１３０と、主回転軸部材１３０の中心軸ＣＬ方向の一端面に取付けられ、ドレス工具１２０を回転可能に保持する保持部材１４９とを備える。
【０００６】
ドレス工具１２０は、回転軸となる軸部材１２２と、軸部材１２２の一端部に設けられたドレスヘッド１２４とを有している。ドレス工具１２０は、図１２において矢印で示すように、駆動用のベルト１５５及びプーリ１２６を介して駆動力が伝達されると、主回転軸部材１３０の中心軸ＣＬと直交する回転軸まわりに回転する。この状態で主回転軸部材１３０を往復回転させることにより、中心軸ＣＬを旋回中心としてドレス工具１２０が旋回移動しつつ研削用砥石の表面をドレスする。
【０００７】
総型ドレッサでは、研削用砥石の種類や形状に合わせて、その都度、形状の異なる新たなドレス工具が必要となる。一方、旋回型ドレッサ１００では、ドレスヘッド１２４と主回転軸部材１３０の中心軸ＣＬとの距離を変えて、ドレスヘッド１２４の旋回軌跡を変えることにより、形状の異なる研削用砥石を一つのドレス工具１２０でドレスすることができる。
【０００８】
近年では、ワークの生産が少品種大量生産から多品種少量生産へ変化してきており、同一のドレス工具で多種の研削用砥石をドレスできる旋回型ドレッサの需要が高まっている。
【先行技術文献】
【特許文献】
【０００９】
【特許文献１】特開２００２−１０３２２４号公報
【特許文献２】特開平４−２４４３７６号公報
【発明の概要】
【発明が解決しようとする課題】
【００１０】
旋回型ドレッサ１００において、ドレス工具１２０の旋回軌跡を変更する場合、保持部材１４９に設けられたアリ溝１４４及びアリ１５４からなる位置調整手段によってドレス工具１２０と中心軸ＣＬとの距離を変える必要がある。この中心軸ＣＬに対するドレス工具１２０の位置調整は、まず、主回転軸部材１３０に取付けられたドレス工具１２０により研削用砥石をドレスした後、この研削用砥石によってワークの加工を行い、ワークの加工結果からドレス工具２０の旋回半径を求めて、所望の旋回半径となるようにアリ溝１４４内のアリ１５４の位置を調整することによって行われる。
【００１１】
しかしながら、高いドレス精度を得るためには、加工結果に基づく位置調整とを何度も繰り返す必要があり、ドレス工具１２０の位置調整作業に多大な時間がかかるという問題があった。
【００１２】
本発明は、上記課題に鑑みてなされたものであり、その目的は、研削用砥石をドレスするドレス工具の旋回中心に対する位置調整の作業時間を短縮できるロータリドレッサを提供することにある。
【課題を解決するための手段】
【００１３】
上記目的を達成するための請求項１に記載の発明は、回転軸を中心として回転可能な主回転軸部材と、該主回転軸部材の前記回転軸方向の一端面に取付けられ、前記主回転軸部材とともに回転する保持部材と、該保持部材に回転可能に保持されたドレス工具と、前記保持部材に設けられ、前記回転軸に対して前記ドレス工具を移動させて前記回転軸と前記ドレス工具との間の距離を調整可能な位置調整手段と、を備えたロータリドレッサにおいて、前記主回転軸部材に着脱可能に取付けられる位置調整用治具を備え、該位置調整用治具は、取付け状態で、前記回転軸から所定の距離の位置に、前記ドレス工具が当接する当接部を備え、該当接部は、前記位置調整手段による前記ドレス工具の移動経路上に位置することを特徴とする。
【００１４】
この構成によれば、位置調整用治具を主回転軸部材に取付けた状態で、位置調整手段によってドレス工具を移動させて、位置調整用治具の当接部に当接させることにより、回転軸とドレス工具との距離を所定の距離に調整することができる。これにより、ドレス工具の位置調整を何度も繰り返す手間を省くことができ、ドレス工具の位置調整時間を短縮することができる。
【００１５】
また、本発明は、請求項１に記載のロータリドレッサにおいて、前記主回転軸部材は、前記一端面の前記回転軸上に凹部を有し、前記保持部材は、前記主回転軸部材に対する取付部において前記凹部と対応する位置に貫通孔を有し、前記位置調整用治具は、前記貫通孔及び前記凹部に挿入されて取付けられる位置決め部を有することを特徴とする。
【００１６】
この構成によれば、位置調整用治具の位置決め部を保持部材の貫通孔及び主回転軸部材の凹部に挿入し、取付けることで、主回転軸部材に対する保持部材の位置決めを行うことができるとともに、位置調整用治具の当接部が主回転軸部材の中心軸に対して所定の距離となるように、位置調整用治具を主回転軸部材に取付けることができる。
【００１７】
また、本発明は、請求項２に記載のロータリドレッサにおいて、前記位置調整用治具は、前記位置決め部に着脱可能に取付けられ、取付け状態で、前記位置決め部から前記ドレス工具の移動経路上に向かって伸びる棒状部を有し、前記当接部は、前記棒状部の外周面に形成されていることを特徴とする。
【００１８】
この構成によれば、位置調整用治具の棒状部にドレス工具を当接させて、ドレス工具の旋回中心に対する位置決めを行った後、棒状部を位置決め部から取外してドレス加工を行うことができる。
【００１９】
また、本発明は、請求項２又は３に記載のロータリドレッサにおいて、前記位置調整手段は、前記保持部材の前記貫通孔に回転可能に嵌装される偏心カラーと、該偏心カラーの回転位置を固定する固定部材とを備え、前記位置調整用治具の前記位置決め部を前記偏心カラーの中空部に挿入した状態で前記偏心カラーを回転させることにより、前記回転軸と前記ドレス工具との間の距離を変更することを特徴とする。
【００２０】
この構成によれば、偏心カラーの回転に伴ってドレス工具を連続的に変位させることができるので、ドレス工具の位置の微調整を容易に行うことができる。
【００２１】
また、本発明は、請求項４に記載のロータリドレッサにおいて、前記保持部材は、前記主回転軸部材に取付けられ、前記回転軸と直交する方向に伸びるアリ溝を有する旋回アームと、前記アリ溝内を摺動可能なアリを有するとともに、前記ドレス工具を回転可能に保持する工具ホルダとを備え、前記位置調整手段は、前記アリ溝、前記アリ、及び前記アリ溝内の前記アリの位置を固定する固定用螺子により構成される第１の移動調整手段と、前記偏心カラー及び前記固定部材により構成される第２の移動調整手段とを含むことを特徴とする。
【００２２】
この構成によれば、第１の移動調整手段によって、ドレス工具の移動量を大きく変えることができるとともに、第２の移動調整手段によって、ドレス工具の位置の微調整を容易に行うことができる。
【発明の効果】
【００２３】
本発明に係るドレス工具の位置調整構造によれば、ドレス工具の旋回中心に対する位置調整の作業時間を短縮することができる。
【図面の簡単な説明】
【００２４】
【図１】本発明の第１の実施形態であるドレス工具の位置調整構造を有するロータリドレッサの斜視図。
【図２】ロータリドレッサの要部を拡大した一部断面図。
【図３】ドレス工具による研削用砥石のドレス作業を説明する図。
【図４】図２に示すロータリドレッサの要部を下方から見た図。
【図５】図２の矢印Ｃ方向から位置調整用治具とドレス工具を見た一部断面側面図
【図６】図５に示す位置調整用治具の分解図。
【図７】位置調整用治具の変形例を示す図であって、（ａ）は図５と同様の一部断面側面図、（ｂ）は（ａ）に示す位置調整用治具の棒状部の断面図。
【図８】ロータリドレッサの要部側面図。
【図９】（ａ）は本発明の第２の実施形態であるドレス工具の位置調整構造を有するロータリドレッサの要部を拡大した一部断面図、（ｂ）は（ａ）の要部拡大図。
【図１０】図９に示すドレッサを矢印Ｂ方向から見た一部断面図。
【図１１】（ａ）は偏心カラーの回転状態を示す図、（ｂ）は偏心カラーの回転に伴うドレス工具の移動量の変化を示すグラフ。
【図１２】は従来のロータリドレッサの要部拡大一部断面図。
【発明を実施するための形態】
【００２５】
（第１の実施形態）
図１は本発明の第１の実施形態であるドレス工具の位置調整構造を有するロータリドレッサの斜視図であり、図２はロータリドレッサの要部を拡大した一部断面図である。本実施形態の位置調整構造を有するロータリドレッサ１０（以下、単に「ドレッサ１０」と称する）は、図３（ａ）（ｂ）に示すように、研削用砥石９０，９０´の表面をドレスするドレス工具２０が、研削用砥石９０，９０´に対して旋回移動する旋回型ドレッサである。
【００２６】
ドレッサ１０は、固定用基台１１と、固定用基台１１に設けられた支持軸１２と、支持軸１２に支持されたドレッサアーム１３と、ドレッサアーム１３の先端部１３ａに取付けられたホルダ１４と、ホルダ１４に回転可能に保持された主回転軸部材３０と、ホルダ１４の上面を覆う蓋型プーリ１５Ａと、蓋型プーリ１５Ａを介して主回転軸部材３０に動力を付与する第１の駆動手段１６とを備える。また、ドレッサ１０は、主回転軸部材３０の回転軸方向の一端面である下端面３０ａに取付けられる旋回アーム４０及び旋回アーム４０にセットされる工具ホルダ５０からなる保持部材４９と、工具ホルダ５０に保持されるドレス工具２０と、ドレス工具２０に回転力を付与する駆動手段１８とを備えるとともに、旋回アーム４０を介して主回転軸部材３０の下端面３０ａに着脱可能に取付けられる位置調整用治具６０を備える。また、保持部材４９には、主回転軸部材３０の回転軸である中心軸ＣＬとドレス工具２０との間の距離ｄ（図４参照）を変更可能な位置調整手段５９が設けられている。
【００２７】
固定用基台１１は図示していない台座に固定される。支持軸１２は円柱状に形成されており、軸方向が台座の表面と平行に配置される。支持軸１２の周面には、ドレッサアーム１３の基端部１３ｂが支持軸１２の軸まわりに回動可能に支持されている。
【００２８】
ドレッサアーム１３の先端部１３ａには、円筒状のホルダ１４が一体的に取付けられている。ホルダ１４の筒軸方向は、ドレッサアーム１３の延在方向と直交している。図示例では、筒状のホルダ１４が上下方向に伸びており、蓋型プーリ１５Ａがホルダ１４の上端側を覆っている。ドレッサアーム１３の基端部１３ｂ側には、第１の駆動手段１６であるモータのモータ軸（図示せず）に連結されたプーリ１５Ｂが設けられている。
【００２９】
主回転軸部材３０は図２に示すように、ベアリング３８を介してホルダ１４の内部に回転可能に保持されている。本実施形態の主回転軸部材３０は上下方向に伸びる円柱状であって、中心軸ＣＬを回転軸として回転する。主回転軸部材３０の上端は、図示していないケレ（回し金）を介して蓋型プーリ１５Ａに取付けられている。
【００３０】
蓋型プーリ１５Ａとプーリ１５Ｂとには無端状のベルト１７が巻き掛けられており、第１の駆動手段１６を作動すると、プーリ１５Ｂ及びベルト１７を介して蓋型プーリ１５Ａが回転する。主回転軸部材３０は、蓋型プーリ１５の回転に連動して中心軸ＣＬまわりに回転する。本実施形態では、図１において双頭矢印で示すように、第１の駆動手段１６の駆動力により主回転軸部材３０が中心軸ＣＬまわりに往復回転する。
【００３１】
主回転軸部材３０の下端面３０ａには、螺子３６を用いて旋回アーム４０が着脱可能に取付けられる。下端面３０ａは、凸部が存在しない面として形成され、複数の凹部３２，３３を有している。本実施形態では、中心軸ＣＬが通る下端面３０ａの中心軸上に位置決め用の凹部である軸上凹部３２が形成されており、その周囲に、軸上凹部３２よりも凹部径が小さい複数の周辺凹部３３が形成されている。軸上凹部３２及び周辺凹部３３の断面は円形状であって、軸上凹部３２の円形中心は中心軸ＣＬと一致している。
【００３２】
旋回アーム４０は、主回転軸部材３０に取付けられた状態で、中心軸ＣＬと直交する方向に伸びるアーム状の部材である。旋回アーム４０の基端側は板状に形成され、主回転軸部材３０に対する取付部を構成しており、この取付部には下端面３０ａと当接する取付面４０ａが形成されている。取付面４０ａは、凸部が存在しない面として形成され、主回転軸部材３０の凹部３２，３３と対応する位置に貫通孔４２，４３が形成されている。本実施形態では、軸上凹部３２に対応する軸上貫通孔４２と、複数の周辺凹部３３に対応する複数の周辺貫通孔４３とが形成されている。軸上貫通孔４２の内径は軸上凹部３２の内径よりも大きくなっている。周辺凹部３３及び周辺貫通孔４３には螺子３６が挿入・締結される。
【００３３】
また、図２に示すように、主回転軸部材３０の下端面３０ａ及び旋回アーム４０の取付面４０ａには窪み部が形成されており、この窪み部に、主回転軸部材３０に対する旋回アーム４０の相対的な回転を止めるためのピン３９を挿入している。
【００３４】
軸上凹部３２及び軸上貫通孔４２には位置調整用治具６０が挿入・取付けられる。図５及び図６に示すように、位置調整用治具６０は、位置決め部材（位置決め部）３５と、治具部材６６と、これらを連結する連結部材６５とを備えており、これらは互いに分離可能に構成されている。なお、図５は、図２の矢印Ｃ方向から位置調整用治具６０とドレス工具２０とを見た図であって、治具部材６６にドレス工具２０のドレスヘッド２４を当接させた状態を示している。
【００３５】
位置決め部材３５は、主回転軸部材３０の軸上凹部３２に挿入される小径部６４と、旋回アーム４０の軸上貫通孔４２に挿入される大径部６３と、旋回アーム４０の下面に当接するフランジ部６１と、フランジ部６１から突出する頭部６２とを有する。小径部６４及び大径部６３は円柱状に形成されており、取付け状態で円形中心が中心軸ＣＬと一致する。なお、本実施形態において位置決め部材３５は、小径部６４及び／又は大径部６３に螺子溝が形成されており、取付け状態で主回転軸部材３０及び旋回アームを結合・固定する螺子部材である。
【００３６】
連結部材６５は、位置決め部材３５の頭部６２と嵌合する第１嵌合部６５ａと、治具部材６６の頭部６６ａと嵌合する第２嵌合部６５ｂとを有する。
【００３７】
治具部材６６は、連結部材６５に嵌装される頭部６６ａと、頭部６６ａよりも拡径したフランジ部６６ｂと、フランジ部６６ｂから突出して直線状に伸びる棒状部６７とを有する。
【００３８】
棒状部６７の外周面は、図５に示すように、ドレス工具２０のドレス部２４ａが当接する当接部を構成しており、この当接部は、主回転軸部材３０に取付けられた状態で、位置調整手段５９によるドレス工具２０の移動経路上に位置する。本実施形態の棒状部６７は、主回転軸部材３０に取付けられた状態で、中心軸ＰＬと一致する規定軸Ｌを有し、この規定軸Ｌからドレス工具２０が当接される外周面（当接部）までの距離ｄｓが、予め設定されている。以下、この予め設定された距離ｄｓを所定距離ｄｓと称する。所定距離ｄｓは、ドレッサ１０がドレスする研削用砥石９０，９０´（図３参照）の表面のＲ形状に応じて適宜設定される。
【００３９】
本実施形態において、棒状部６７は、長さ方向で一定の円形断面を有する棒状体であり、規定軸Ｌは棒状体の中心軸と一致し、棒状体の半径が所定距離ｄｓとなっている。
【００４０】
図７は、位置調整用治具６０の棒状部６７の変形例を示す図であって、図７（ａ）は図５と同様の一部断面側面図、図７（ｂ）は棒状部６７においてドレス工具２０が当接する部位の断面図であって、理解しやすいように拡大して示している。棒状部６７は、円柱状の棒状体の一部を長さ方向に切断した形状であって、ドレス工具２０が当接する外周面６７ａ（当接部）が平面状に形成されており、規定軸Ｌから外周面６７ａまでの距離が所定距離ｄｓに設定されている。
【００４１】
図２に示すように、旋回アーム４０の先端側には、ドレス工具２０を回転可能に保持する工具ホルダ５０が装着される。工具ホルダ５０には、旋回アーム４０に形成されたアリ溝４４と嵌合するアリ５４が形成されているとともに、アリ溝４４内のアリ５４の位置を調整するための調整螺子５６が設けられている。図８は、ドレッサ１０の要部側面図であって、図２に示す要部の一部を図２の矢印Ａ方向から見た図である。工具ホルダ５０は、アリ５４をアリ溝４４に嵌合させた状態で、これらを固定する固定用螺子５７を締結することにより旋回アーム４０に固定される。アリ溝４４とアリ５４との間の隙間部分には、この隙間を埋めてアリ溝４４の遊びを無くす薄板状のジブ５８が挿入される。
【００４２】
旋回アーム４０を主回転軸部材３０に装着した状態で、アリ溝４４は、中心軸ＣＬと直交する方向に伸びており、工具ホルダ５０は、ドレッサ１０に取付けられた状態で、アリ５４及びアリ溝４４を介して、中心軸ＣＬと直交する方向（図４の矢印Ｘの方向）に移動させることが可能である。なお、図４は、位置調整用治具６０の連結部材６５及び治具部材６６を取外した状態を記載している。アリ溝４４、アリ５４及びこれらの位置を固定する固定用螺子５７は、中心軸ＣＬとドレス工具２０との間の距離ｄを変更する位置調整手段５９を構成している。
【００４３】
工具ホルダ５０は、図２に示すように、ドレッサ１０に装着された状態で、ドレス工具２０を主回転軸部材３０の中心軸ＣＬと直交する工具回転軸ＲＬまわりに回転可能に保持する。ドレス工具２０は、円柱状の軸部材２２と、軸部材２２の一端部に設けられ、円盤状のドレス部２４ａを有するドレスヘッド２４とを有する。また、軸部材２２の他端部側はプーリ２６に連結・固定されている。プーリ２６は、円中心が軸部材２２の工具回転軸ＲＬと一致した状態で、工具ホルダ５０に回転可能に支持されている。ドレスヘッド２４は、円形中心が軸部材２２の中心軸（すなわち、工具回転軸ＲＬ）に一致するように設けられている。ドレスヘッド２４のドレス部２４ａの円形の外周縁部には、ドレス部材である複数のダイヤモンド粒が取付けられている。
【００４４】
第２の駆動手段１８はドレス工具２０に回転力を付与するものであり、本実施形態ではモータであって、モータ軸の端部にプーリ１９が連結されている。このプーリ１９と、ドレス工具２４のプーリ２６とには無端状のベルト５５が中心軸ＣＬの方向に伸長した状態で巻き掛けられ、モータの回転に伴ってプーリ１９が回転すると、ベルト５５を介してプーリ２６が回転し、プーリ２６に連結されたドレス工具２４が工具回転軸ＲＬまわりに回転する。
【００４５】
上述したドレッサ１０では、位置調整用治具６０の連結部材６５及び治具部材６６を取外した状態で、研削用砥石９０をドレスする。ドレス工程では、まず、第１の駆動手段１６及び第２の駆動手段１８を作動させる。すると、図２及び図４において双頭矢印で示すように主回転軸部材３０の中心軸ＣＬまわりに往復回転に伴ってドレス工具２０が中心軸ＣＬまわりに往復旋回移動し、さらに、ドレス工具２０が工具回転軸ＲＬまわりに回転する。これにより、ドレッサ１０は、図３（ａ）に示すように、研削用砥石９０の円弧形状の表面を往復旋回移動しながらドレスする。また、位置調整手段５９により中心軸ＣＬからドレスヘッド２４までの距離ｄ（図４参照）を変更することにより、図３（ｂ）に示すように、表面の円弧形状の大きさ（Ｒの大きさ）の異なる研削用砥石９０´を適切にドレスすることができる。
【００４６】
次に、上述したドレッサ１０において、中心軸ＣＬに対するドレス工具２０の位置調整を行う場合の手順を説明する。
【００４７】
まず、図２に示すように、ドレッサ１０に位置調整用治具６０を取り付ける。本実施形態では、主回転軸部材３０に旋回アーム４０を取り付ける際に、位置決め部材３５を用いて旋回アーム４０の位置決めを行い、ドレッサ１０にドレス工具２０をセットした後に、連結部材６５及び治具部材６６を後付けできるようにしている。ドレス工具２０は中心軸ＰＬから十分に離れた位置にセットされ、位置調整用治具６０とドレス工具２０とは離間している。
【００４８】
次に、位置調整手段５９を用いてドレス工具２０を中心軸ＰＬに接近するように、図４の矢印Ｘ方向に移動させ、図５に示すように、ドレスヘッド２４を位置調整用治具６０の棒状部６７の外周面に当接させる。これにより、中心軸ＰＬとドレスヘッド２４の間の距離を所定距離ｄｓに設定することができる。設定完了後、連結部材６５及び治具部材６６は、ドレッサ１０から取外される。
【００４９】
上述したように、本実施形態の位置調整構造を有するドレッサ１０では、位置調整用治具６０を主回転軸部材３０に取付け、ドレス工具２０を移動させてドレスヘッド２４を棒状部６７の外周面に当接させることにより、旋回中心となる中心軸ＣＬからドレスヘッド２４までの距離を所定距離ｄｓに簡単に調整することができる。これにより、従来行っていた位置調整を何度も繰り返す手間を省くことができ、ドレス工具２０の位置調整時間を短縮することができる。
【００５０】
また、位置調整用治具６０は、位置決め部材３５を軸上貫通孔４２及び軸上凹部３２に挿入する簡易な構造で、棒状部６７の規定軸Ｌが中心軸ＣＬと一致するように、主回転軸部材３０に取付けることができる。さらに、位置決め部材３５は、単品で用いることができ、主回転軸部材３０に旋回アーム４０を取り付ける際の位置決め用の部材として利用することができる。なお、ドレス作業の際に、位置決め部材３５ごと位置調整用治具６０を取外すことも可能であるが、位置決め部材３５を取り付けた状態とすることで、主回転軸部材３０と旋回アーム４０との位置決め状態を適切に保持することができる。
【００５１】
（第２の実施形態）
次に、図９−図１１を用いて本発明の第２の実施形態の位置調整構造を説明する。なお、各図において、上述した第１の実施形態と同様の要素には、同一の符号を付し、その説明を省略する。
【００５２】
本実施形態のドレッサ１０では、第１の実施形態に記載した位置調整手段５９に代えて、中心軸ＣＬとドレス工具２０との間の距離ｄを変更する位置調整手段８９が、保持部材４９である旋回アーム４０の軸上貫通孔４２に設けられた偏心カラー８０と、偏心カラー８０の回転位置を固定するカラー固定螺子（固定部材）８５とによって構成されている。なお、位置調整手段８９以外の構成は、第１の実施形態に記載されたものと同様であるため、ここでは説明を省略する。
【００５３】
図９及び図１０に示すように、偏心カラー８０は、筒状の本体部８２と、本体部８２の一端部に一体的に形成されたフランジ部８３とを有する。なお、図１０では、位置調整用治具６０の連結部材６５及び治具部材６６の記載を省略している。設置状態で、本体部８２は軸上貫通孔４２に回転可能に嵌装されており、フランジ部８３と旋回アーム４０の下面との間にはバネワッシャ８８が介在されている。位置調整用治具６０は、位置決め部材３５を偏心カラー８０の中空部に挿入した状態で主回転軸部材３０に取り付けられる。
【００５４】
本体部８２は、図１１（ａ）に示すように、外径の軸線Ｃと内径の軸線とにズレを有し、周方向で肉厚が変化しており、内径の軸線は、設置状態で主回転軸部材３０の中止軸ＣＬと一致する。なお、図１１（ａ）は偏心カラー８０の回転状態を示す図であって、設置状態における偏心カラー８０と、位置決めピン３９との位置関係を示しており、位置決めピン３９と、偏心カラー８０の内径軸線との距離が最も遠くなる位置を位置Ｐ１とし、位置Ｐ１から時計まわりに６０度、１２０度及び１８０度回転させた位置をそれぞれ位置Ｐ２、位置Ｐ３及び位置Ｐ４としている。
【００５５】
次に、偏心カラー８０とカラー固定螺子８５と位置調整用治具６０とを用いたドレス工具２０の位置の調整方法について説明する。
【００５６】
まず、図９（ａ）に示すドレッサ１０において、旋回アーム４０を固定する螺子３６を緩めるとともに、カラー固定螺子８５を緩めて、主回転軸部材３０に対して旋回アーム４０を位置ずれ可能な状態にする。この状態で、偏心カラー８０を回転させてドレス工具２０を中心軸ＣＬに接近させ、ドレスヘッド２４を棒状部６７に当接させる。その後、カラー固定螺子８５を締結して偏心カラー８０の回転位置を固定し、螺子３６を締結して旋回アーム４０と主回転軸部材３０とを固定する。これにより、中心軸ＣＬとドレスヘッド２４の間の距離を所定距離ｄｓに設定することができる。設定完了後、連結部材６５及び治具部材６６は、ドレッサ１０から取外される。
【００５７】
図１１（ｂ）は偏心カラー８０の回転に伴うドレス工具２０の移動量の変化を示すグラフである。図１１（ａ）の偏心カラー８０の回転位置Ｐ１、Ｐ２、Ｐ３及びＰ４は、それぞれ、図１１（ｂ）の角度の０度、６０度、１２０度、１８０度の位置を示している。位置Ｐ２から位置Ｐ３までの間は、移動量が直線的に変化するため、この領域を位置調整に用いることが好ましい。
【００５８】
本実施形態の位置調整手段８９では、偏心カラー８０の回転に伴ってドレス工具２０を連続的に変位させることができるので、ドレス工具２０の細かな調整を容易に行うことができる。例えば、第１の実施形態に示したアリ溝４４のアリ５４を調整螺子５６で移動させる位置調整手段５９では、調整螺子５６に遊びがあることから、調整螺子５６の正転・逆転の際にバックラッシュが生じ、細かな調整が難しくなるが、本実施形態の位置調整手段８９では、偏心カラー８０を回転させることでバックラッシュを生じることなくドレス工具２０の位置を連続的に変化させることができるので、位置の微調整を容易に行うことができる。
【００５９】
また、位置調整用治具６０と偏心カラー８０との間に介在させたバネワッシャ８８により、カラー固定螺子８５を緩めた際に各部材間に完全な隙間が生じることを防止することができるので、位置調整の安定性を確保することができる。
【００６０】
なお、本発明は上述した実施形態や変形例に限定されるものではなく、発明の趣旨を逸脱しない範囲で種々の変更が可能である。
【００６１】
例えば、本発明の位置調整構造は、位置調整手段として、第１の実施形態に記載したアリ溝４４とアリ５４によって構成される第１の位置調整手段５９と、第２の実施形態に記載した偏心カラー８０によって構成される第２の位置調整手段８９との両方を備えた構成であってもよい。この場合、第１の移動調整手段５９によって、ドレス工具の移動量を大きく変えることができるとともに、第２の移動調整手段８９によって、ドレス工具の位置の微調整を容易に行うことができる。
【００６２】
また、位置調整用治具の位置決め部材の形状・構造は、取付け対象となる主回転軸部材や旋回アームの形状・構造に応じて、適宜変更することが可能である。
【符号の説明】
【００６３】
１０    ロータリドレッサ
１６    第１の駆動手段
１７    ベルト
１８    第２の駆動手段
１９    プーリ
２０    ドレス工具
２４    ドレスヘッド
２６    プーリ
３０    主回転軸部材
３０ａ  下端面（主回転軸部材の一端面）
３２    軸上凹部（凹部）
３５    位置決め部材（位置調整用治具の位置決め部）
３６    螺子
４０    旋回アーム（保持部材）
４２    軸上貫通孔（貫通孔）
４４    アリ溝
５０    工具ホルダ（保持部材）
５４    アリ
５５    ベルト
５７    固定用螺子
５９    位置調整手段
６０    位置調整用治具
６５    連結部材
６６    治具部材
６７    棒状部
８０    偏心カラー
８５    カラー固定螺子（固定部材）
８９    位置調節手段
ＣＬ    中心軸（回転軸）
【図１】
2020066095.tif 000003
【図２】
2020066095.tif 000004
【図３】
2020066095.tif 000005
【図４】
2020066095.tif 000006
【図５】
2020066095.tif 000007
【図６】
2020066095.tif 000008
【図７】
2020066095.tif 000009
【図８】
2020066095.tif 000010
【図９】
2020066095.tif 000011
【図１０】
2020066095.tif 000012
【図１１】
2020066095.tif 000013
【図１２】
2020066095.tif 000014
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
回転軸を中心として回転可能な主回転軸部材と、
該主回転軸部材の前記回転軸方向の一端面に取付けられ、前記主回転軸部材とともに回転する保持部材と、
該保持部材に回転可能に保持されたドレス工具と、
前記保持部材に設けられ、前記回転軸に対して前記ドレス工具を移動させて前記回転軸と前記ドレス工具との間の距離を調整可能な位置調整手段と、を備えたロータリドレッサにおいて、
前記主回転軸部材に着脱可能に取付けられる位置調整用治具を備え、
該位置調整用治具は、取付け状態で、前記回転軸から所定の距離の位置に、前記ドレス工具が当接する当接部を備え、
該当接部は、前記位置調整手段による前記ドレス工具の移動経路上に位置し、
前記主回転軸部材は、前記一端面の前記回転軸状に凹部を有し、
前記保持部材は、前記主回転軸部材に対する取付部において前記凹部と対応する位置に貫通孔を有し、
前記位置調整用治具は、前記貫通孔及び前記凹部に挿入されて取付けられる位置決め部を有することを特徴とするロータリドレッサ。
【請求項２】
前記位置調整用治具は、前記位置決め部に着脱可能に取付けられ、取付け状態で、前記位置決め部から前記ドレス工具の移動経路上に向かって伸びる棒状部を有し、
前記当接部は、前記棒状部の外周面に形成されていることを特徴とする請求項１に記載のロータリドレッサ。
【請求項３】
前記位置調整手段は、前記保持部材の前記貫通孔に回転可能に嵌装される偏心カラーと、該偏心カラーの回転位置を固定する固定部材とを備え、前記位置調整用治具の前記位置決め部を前記偏心カラーの中空部に挿入した状態で前記偏心カラーを回転させることにより、前記回転軸と前記ドレス工具との間の距離を変更することを特徴とする請求項１又は２に記載のロータリドレッサ。
【請求項４】
前記保持部材は、前記主回転軸部材に取付けられ、前記回転軸と直交する方向に伸びるアリ溝を有する旋回アームと、前記アリ溝内を摺動可能なアリを有するとともに、前記ドレス工具を回転可能に保持する工具ホルダとを備え、
前記位置調整手段は、前記アリ溝、前記アリ、及び前記アリ溝内の前記アリの位置を固定する固定用螺子により構成される第１の移動調整手段と、前記偏心カラー及び前記固定部材により構成される第２の移動調整手段とを含むことを特徴とする請求項３に記載のロータリドレッサ。
【手続補正２】
【補正対象書類名】明細書
【補正対象項目名】００１３
【補正方法】変更
【補正の内容】
【００１３】
上記目的を達成するための請求項１に記載の発明は、回転軸を中心として回転可能な主回転軸部材と、該主回転軸部材の前記回転軸方向の一端面に取付けられ、前記主回転軸部材とともに回転する保持部材と、該保持部材に回転可能に保持されたドレス工具と、前記保持部材に設けられ、前記回転軸に対して前記ドレス工具を移動させて前記回転軸と前記ドレス工具との間の距離を調整可能な位置調整手段と、を備えたロータリドレッサにおいて、前記主回転軸部材に着脱可能に取付けられる位置調整用治具を備え、該位置調整用治具は、取付け状態で、前記回転軸から所定の距離の位置に、前記ドレス工具が当接する当接部を備え、該当接部は、前記位置調整手段による前記ドレス工具の移動経路上に位置し、前記主回転軸部材は、前記一端面の前記回転軸状に凹部を有し、前記保持部材は、前記主回転軸部材に対する取付部において前記凹部と対応する位置に貫通孔を有し、前記位置調整用治具は、前記貫通孔及び前記凹部に挿入されて取付けられる位置決め部を有することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１７
【補正方法】変更
【補正の内容】
【００１７】
また、本発明は、請求項１に記載のロータリドレッサにおいて、前記位置調整用治具は、前記位置決め部に着脱可能に取付けられ、取付け状態で、前記位置決め部から前記ドレス工具の移動経路上に向かって伸びる棒状部を有し、前記当接部は、前記棒状部の外周面に形成されていることを特徴とする。
【手続補正５】
【補正対象書類名】明細書
【補正対象項目名】００１９
【補正方法】変更
【補正の内容】
【００１９】
また、本発明は、請求項１又は２に記載のロータリドレッサにおいて、前記位置調整手段は、前記保持部材の前記貫通孔に回転可能に嵌装される偏心カラーと、該偏心カラーの回転位置を固定する固定部材とを備え、前記位置調整用治具の前記位置決め部を前記偏心カラーの中空部に挿入した状態で前記偏心カラーを回転させることにより、前記回転軸と前記ドレス工具との間の距離を変更することを特徴とする。
【手続補正６】
【補正対象書類名】明細書
【補正対象項目名】００２１
【補正方法】変更
【補正の内容】
【００２１】
また、本発明は、請求項３に記載のロータリドレッサにおいて、前記保持部材は、前記主回転軸部材に取付けられ、前記回転軸と直交する方向に伸びるアリ溝を有する旋回アームと、前記アリ溝内を摺動可能なアリを有するとともに、前記ドレス工具を回転可能に保持する工具ホルダとを備え、前記位置調整手段は、前記アリ溝、前記アリ、及び前記アリ溝内の前記アリの位置を固定する固定用螺子により構成される第１の移動調整手段と、前記偏心カラー及び前記固定部材により構成される第２の移動調整手段とを含むことを特徴とする。